(57)【要約】      （修正有）【課題】産業廃棄物である天然木の端材を有効利用することができ、かつ洋室だけでなく和室にも適合した天然木付テレビスタンドを提供する。【解決手段】天然木付テレビスタンド１０は、底板１１と、底板に立設された支柱１２と、支柱の上部に設けられたテレビ取付部１３とを備え、支柱の前面に複数の天然木の端材１４を組み合わせた化粧寄木１５を取り付けたものである。このように構成したことにより、産業廃棄物である天然木の端材を有効利用することができる。さらには、洋室だけでなく和室にも適合した天然木付テレビスタンドとすることができる。【選択図】図１
0003226560.tif 000002
【実用新案登録請求の範囲】
【請求項１】
部屋の床に載置される底板と、該底板に立設された支柱と、該支柱の上部に設けられて、テレビが取り付けられるテレビ取付部とを備え、
前記支柱の前面に、複数の天然木の端材を組み合わせた化粧寄木を設けたことを特徴とする天然木付テレビスタンド。
【請求項２】
前記化粧寄木は、前記部屋に流れる風を発熱状態の前記テレビの冷却空気として、前記テレビ取付部に取り付けられた前記テレビに、直接又は乱流を発生させて誘導する風誘導構造体である請求項１に記載の天然木付テレビスタンド。
【請求項３】
前記端材は、前記支柱の幅より長尺な横方向へ細長い板で、
前記化粧寄木は、複数本の前記端材を、上下平行に離間した多段状態で前記支柱の前面に設けた多段式寄木で、
前記支柱と前記各端材との間には、対応する端材を個別に横方向への位置ずれ状態で前記支柱に取り付け可能な複数の端材取付部が配されたことを特徴とする請求項２に記載の天然木付テレビスタンド。
【請求項４】
前記端材は縦方向へ細長い板で、
前記化粧寄木は、複数本の前記端材を、左右平行に離間した並列状態で前記支柱の前面に密着させて設けた縦束式寄木で、
前記複数本の端材は、前記支柱の幅方向の両端部に配されたものより、該支柱の幅方向の中間部に配されたものの方が徐々に前方へ突出していることを特徴とする請求項２に記載の天然木付テレビスタンド。
【請求項５】
前記支柱又は前記化粧寄木には、この化粧寄木より前方に配されるテーブルが、分離不能又は上下移動可能に取り付けられたことを特徴とする請求項１〜請求項４のうち、何れか１項に記載の天然木付テレビスタンド。
【考案の詳細な説明】
【技術分野】
【０００１】
この考案は、天然木の端材を有効利用した天然木付テレビスタンドに関する。
【背景技術】
【０００２】
住宅のリビングなどにテレビを設置する台として、テレビスタンドが知られている。
従来のテレビスタンドは、底板と、底板に立設された支柱と、支柱の上部に連結された矩形枠状のテレビ取付部とを備えたものである（例えば、特許文献１など）。
スタンド使用時には、テレビ取付部にテレビを取り付け、その後、部屋の所望場所にテレビスタンドを設置する。
【先行技術文献】
【特許文献】
【０００３】
【特許文献１】特開２００６−３０４２４０号公報
【考案の概要】
【考案が解決しようとする課題】
【０００４】
しかしながら、従来のテレビスタンドは、主な構成体である底板、支柱およびテレビ取付部の全てが金属製の部材であった。そのため、無機質な印象のスタンドでしかなく、フローリングやコンクリート壁等が配された洋室であればよいものの、天然木の柱や畳等が使用される和室には違和感があった。
【０００５】
ところで、天然木を所定形状に切断して建材などを製造する際には、細長いものを含む様々な形状の端材が多量に発生している。従来、これらの端材は、産業廃棄物として焼却処分が一般的であった。
しかしながら、平成９年１２月の「廃棄物の処理及び清掃に関する法律施行令」、平成１２年１月の「ダイオキシン類対策特別措置法」により、製材所から発生した木質副産物（製材屑等）の焼却処分に対して、厳しい規制がされるようになり、製材所等ではその処分に困窮していた。
【０００６】
そこで、考案者は鋭意研究の結果、無機質な金属製のテレビスタンドの支柱に、暖かみのある天然木の端材を組み合わせた化粧寄木（寄木風のもの）を配するようにすれば、上述した課題が全て解消されることを知見し、この考案を完成させた。
【０００７】
本考案は、このような問題点に鑑みてなされたもので、産業廃棄物である天然木の端材を有効利用することができ、かつ洋室だけでなく和室にも適合した天然木付テレビスタンドを提供することを目的としている。
【課題を解決するための手段】
【０００８】
請求項１に記載の考案は、部屋の床に載置される底板と、該底板に立設された支柱と、該支柱の上部に設けられて、テレビが取り付けられるテレビ取付部とを備え、前記支柱の前面に、複数の天然木の端材を組み合わせた化粧寄木を設けたことを特徴とする天然木付テレビスタンドである。
【０００９】
天然木の種類は限定されない。例えば、パイン、ブナ、カエデ、カバなどを採用することができる。
天然木は、木目や木の質感を楽しむことができる無垢のものでも、塗装などの表面処理を行ったものでもよい。
端材の形状やサイズは限定されない。例えば、細長い板状の端材でも、三角形以上の多角形、円、楕円、その他の任意形状でもよい。端材の使用数も２つ以上であれば任意である。
化粧寄木とは、複数の天然木の端材を直接又は間接的に組み合わせて造形した寄木風のもの（寄木、組み木、組み木風のもの）である。例えば、基材となる支柱に、各端材を互いに離間状態で取り付けたものなどでもよい。
化粧寄木の形状は任意である。また、化粧寄木のサイズも限定されない。
【００１０】
また、請求項２に記載の考案は、前記化粧寄木は、前記部屋に流れる風を発熱状態の前記テレビの冷却空気として、前記テレビ取付部に取り付けられた前記テレビに、直接又は乱流を発生させて誘導する風誘導構造体である請求項１に記載の天然木付テレビスタンドである。
【００１１】
ここでいう“部屋に流れる風”の種類は限定されない。例えば、空調装置や扇風機からの風でもよいし、部屋の外から吹き込む風でもよい。
【００１２】
さらに、請求項３に記載の考案は、前記端材は、前記支柱の幅より長尺な横方向へ細長い板（角材を含む）で、前記化粧寄木は、複数本の前記端材を、上下平行に離間した多段状態で前記支柱の前面に設けた多段式寄木で、前記支柱と前記各端材との間には、対応する端材を個別に横方向への位置ずれ状態で前記支柱に取り付け可能な複数の端材取付部が配されたことを特徴とする請求項２に記載の天然木付テレビスタンドである。
各端材の上下方向への離間長さは任意である。例えば数ｃｍでもよい。
横ずれ取付構造部としては、例えば、ボルト・ナット構造、ガイドレールとスライダとを有したものなどでもよい。
【００１３】
さらに、請求項４に記載の考案は、前記端材は縦方向へ細長い板（角材を含む）で、前記化粧寄木は、複数本の前記端材を、左右平行に離間した並列状態で前記支柱の前面に密着させて設けた縦束式寄木で、前記複数本の端材は、前記支柱の幅方向の両端部に配されたものより、該支柱の幅方向の中間部に配されたものの方が、前方へ突出していることを特徴とする請求項２に記載の天然木付テレビスタンドである。
【００１４】
各端材の形状は任意である。例えば、全長にわたり奥行方向の長さ（幅）が均一のものでも、上方へ向かって徐々に先細りしたものでもよい。
各端材の上下方向への離間長さは任意である。例えば数ｃｍでもよい。
各端材は、例えば、支柱の幅方向の両端部に配されたものより、支柱の幅方向の中間部に配されたものの方が、徐々に前方へ突出するようにしてもよい。
ここでいう“前方への突出長さ”は任意である。数ｃｍでも、数１０ｃｍでもよい。
ここでいう「端材を、…支柱の前面に密着させて設ける」とは、端材の支柱側（取り付け側）の面の全体を、隙間なく支柱の前面に取り付けることを意味する。
【００１５】
請求項５に記載の考案は、前記支柱又は前記化粧寄木には、この化粧寄木より前方に配されるテーブルが、分離不能又は上下移動可能に取り付けられたことを特徴とする請求項１〜請求項４のうち、何れか１項に記載の天然木付テレビスタンドである。
【００１６】
テーブルが取り付けられる被取付物は、支柱でも化粧寄木でもよい。
また、テーブルは被取付物に対して、分離不能な固定状態で取り付けても、着脱自在に取り付けてもよい。また、テーブルを着脱自在、特に高さ位置を調整可能に取り付けるための構造としては、例えば、ボルトナット構造などを採用することができる。
【考案の効果】
【００１７】
本考案の請求項１に記載の天然木付テレビスタンドによれば、支柱の表面に、複数の天然木の端材を組み合わせた化粧寄木を設けたため、産業廃棄物である天然木の端材の有効利用が図れるとともに、テレビスタンドのデザイン性も向上し、洋室だけでなく和室にも適合した天然木付テレビスタンドを得ることができる。
【００１８】
特に、本考案の請求項２に記載の天然木付テレビスタンドによれば、部屋に流れる風の一部が風誘導構造体としての化粧寄木に衝突すると、衝突した風は直接又は乱流となって、支柱の上方に配されたテレビに向かって誘導（上昇）される。これにより、誘導された風が冷却空気となり、例えば、長時間の使用で発熱したテレビを冷やすことができる。
特に、テレビの温度が高まる夏季では、例えば、部屋の一方の壁上部に固定された空冷装置からの冷風が、天井に沿って他方の壁に衝突後に反射し、床、一方の壁へと順に移動して対流する。その途中、テレビスタンドに向かった風の一部を、化粧寄木を介して、テレビに直接又は乱流を発生させて誘導することで、高温のテレビを冷却することができる。
【００１９】
また、本考案の請求項３に記載の天然木付テレビスタンドによれば、化粧寄木として、複数本の横方向へ細長い端材を、上下平行に離間配置した多段式寄木を採用したため、テレビスタンドに向かった風の一部を化粧寄木に衝突させることにより乱流を発生させ、この乱流風をテレビに誘導することで、加熱したテレビを冷やすことができる。しかも、この冷却風は乱流であるため、テレビの裏側の細部にわたって風が行きわたり、基盤等の空冷効果を高めることができる。
さらに、多段式寄木として、複数本の横方向へ細長い端材を上下平行に離間配置したものを採用したため、例えば、小型のインテリアや小物等を、所望段の端材に載置したり、フックを利用して吊下することもできる。
また、各端材は、止ねじと埋込ナットとを介して、個別に横方向へ位置ずれ可能な構造としたため、使用者の好みに応じて、多段式寄木のデザインをアレンジすることができるとともに、テレビスタンドに向かう風の方向に応じて各段の端材の横方向の位置を調整し、効率良く乱流が発生するように多段式寄木の形状を変形することができる。
例えば、天然木付テレビスタンドに対して右方向から風が吹く際には、各段又は所定段の端材を右方向に位置ずれさせる。一方、左方向から風が吹く際には、それとは反対の操作を行う。
【００２０】
また、本考案の請求項４に記載の天然木付テレビスタンドによれば、化粧寄木として、複数本の縦方向へ細長い端材を、左右平行に離間した並列状態で支柱の前面に密着させて設けた縦束式寄木を採用したため、テレビスタンドに向かった風の一部を、縦束式寄木をガイドにして、直接、テレビに誘導し、加熱したテレビを効果的に冷やすことができる。
すなわち、縦束式寄木を構成する縦方向へ細長い各端材の間には、支柱の前面を奥面とした複数の溝が存在する。そのため、テレビに向かった風が縦束式寄木に衝突すると、衝突した風は各端材間の各縦溝に沿って上昇し、一般的に発熱しやすい電子部品が密集した基盤が配されているテレビの中央部を背後から効率よく空冷することができる。
さらに、この縦束式寄木では、支柱の幅方向の両端部（両側部）に配された端材より、支柱の幅方向の中間部に配された端材の方が徐々に前方へ突出している。これにより、側方からテレビに向かった風も、縦束式寄木の各端材間の各縦溝に効率よく取り込んで上昇させ、テレビの冷却に利用することができる。
【００２１】
また、本考案の請求項５に記載の天然木付テレビスタンドによれば、化粧寄木より前方に配されたテーブルを支柱又は化粧寄木に設けたため、例えば、テレビの録画装置などをテーブルに載せて使用することができる。
また、テーブルは、支柱又は化粧寄木に対して昇降可能に設ければ、載置される物（例えば、録画装置など）の制約や、使用者の嗜好などに応じて適宜、テーブルの高さを変更することができる。
【図面の簡単な説明】
【００２２】
【図１】この考案の実施例１に係る多段式寄木付きの天然木付テレビスタンドの斜視図である。
【図２】この考案の実施例１に係るこの天然木付テレビスタンドの、端材の背面からの一部拡大斜視図を含む多段式寄木の分解斜視図である。
【図３】この考案の実施例１に係るこの天然木付テレビスタンドの多段式寄木を変形した状態を示す斜視図である。
【図４】この考案の実施例２に係る縦束式寄木付きの天然木付テレビスタンドの斜視図である。
【図５】この考案の実施例２に係るこの天然木付テレビスタンドの縦束式寄木の分解拡大斜視図である。
【考案を実施するための形態】
【００２３】
以下、この考案の実施例を具体的に説明する。なお、ここでの方向は、天然木付テレビスタンドの使用状態での方向とする。
【実施例】
【００２４】
図１において、１０は本考案の実施例１に係る天然木付テレビスタンド（以下、テレビスタンドという場合がある）で、このテレビスタンド１０は、部屋の床に載置される底板１１と、底板１１の後側中央部に立設された支柱１２と、支柱１２の上部に設けられて、図示しないテレビが取り付けられるテレビ取付部１３とを備え、支柱１２の前面に、１２本の天然木の端材１４を組み合わせた多段式寄木（化粧寄木）１５を設けたものである。
【００２５】
以下、これらの構成部品を具体的に説明する。
図１および図２に示すように、底板１１は横長な略矩形状の鉄板である。
支柱１２は、左右一対の平行に離間した角形鋼管で、その下端部から中央部の前面にかけて、幅広な溝形鋼状の化粧寄木取付板１６が固定されている。化粧寄木取付板１６の前板１７の幅方向の両端部には、上下方向に所定ピッチで１２個（１２段）のねじ孔（横ずれ取付構造部）１８がそれぞれ形成されている。
テレビ取付部１３は、鋼製の横長な矩形枠材１９と、矩形枠材１９の上枠２０と下枠２１との間に、横スライド可能に取り付けられた左右一対の取付縦枠２２とを有したものである。各取付縦枠２２を介して、テレビがテレビ取付部１３に取り付けられる。
【００２６】
多段式寄木１５は、部屋を流れる風を冷却空気として、テレビ取付部１３に取り付けられた高温のテレビに対して、乱流を発生させて誘導するための風誘導構造体である。
多段式寄木１５は、１２本の端材１４を、上下平行に離間した多段状態で化粧寄木取付板１６の前面にそれぞれ固定したものである（図２を参照）。
各端材１４は、支柱１２の幅より長尺な横方向へ細長い板（角材）で、長さ方向の両端部が後方へ徐々に先細り化している。
【００２７】
各端材１４の裏側には、その長さ方向の中間部一帯に所定ピッチで５つの埋込ナット（横ずれ取付構造部）２３Ａ〜２３Ｅがそれぞれ埋め込まれている（図２の部分拡大図を参照）。このうち、埋込ナット２３Ｂ−２３Ｄが、化粧寄木取付板１６に対する各端材１４の基準位置での取り付け用となる。また、埋込ナット２３Ａ−２３Ｃが各端材１４の左シフト用となり、埋込ナット２３Ｃ−２３Ｅが各端材１４の右シフト用となる。
図１および図２に示す各端材１４は、それぞれワッシャＷを通した各止めねじ２５を、化粧寄木取付板１６に段配置された左右一対のねじ孔１８に挿通後、対応する埋込ナット２３Ｂ−２３Ｄに各々螺合することで、化粧寄木取付板１６に対して、上記基準位置での取り付けとなっている。
【００２８】
また、上から４段目の端材１４の上には、端材１４の長さと同一の横幅（長さ）を有した矩形状の鋼板製のテーブル２６が着脱自在に連結可能に取り付けられている。テーブル２６の後端部は直角に下方へ屈曲され、この屈曲部２６ａの長さ方向の中間部付近には、各段のねじ孔１８と同一間隔を有した一対の別のねじ孔（図示せず）が配設されている。
テーブル２６は、４段目の端材１４が化粧寄木取付板１６に固定されるとき、左右一対の止めねじ２５を別のねじ孔１８に挿通して締め付けることで、この端材（化粧寄木取付板１６）１４に取り付けられる。なお、テーブル２６は、同様の取り付け方で他の段の端材１４に取り付けてもよい。
【００２９】
次に、図１〜図３を参照して、本考案の実施例１に係るテレビスタンド１０の使用方法を説明する。
図１に示すように、例えば、夏季において、テレビがテレビ取付部１３に取り付けられたテレビスタンド１０を、部屋の一方の壁付近の床面に設置する。
夏季において、一方の壁上部に固定された図示しない空冷装置からの冷風は、天井、他方の壁、床、一方の壁と順次沿って対流する。その途中、床に沿ってテレビスタンド１０に向かった風の一部は、多段式寄木１５の１２本の細長い端材１４にそれぞれ衝突して乱流となり、このうちの上昇流の部分が支柱１２の上方に配されたテレビに向かって誘導され、使用により発熱したテレビを冷却することができる。しかも、この冷却風は乱流であるため、テレビの裏側の細部にわたって風が行きわたり、基盤等の空冷効果を高めることができる。
【００３０】
また、このように支柱１２の表面に、複数の天然木の端材１４を組み合わせた多段式寄木１５を設けたため、産業廃棄物である天然木の端材１４の有効利用が図れるとともに、テレビスタンド１０のデザイン性も向上し、洋室だけでなく和室にも適合した天然木付テレビスタンド１０を得ることができる。
さらに、ここでは化粧寄木として、１２本の横方向へ細長い端材１４を、上下平行に離間配置した多段式寄木１５を採用している。そのため、例えば、所望段の端材１４に図示しない小型のインテリアや小物等を載置したり、同様に所望段の端材１４に、フックを介して小型のインテリアや小物等を吊下することができる。
【００３１】
また、図２に示すように、多段式寄木１５の各端材１４は、対応する２本の止めねじ２５と、対応する５つの埋込ナット２３Ａ〜２３Ｅとを介して、個別に横方向へ位置ずれ可能な構造となっている。そのため、使用者の好みに応じて、多段式寄木１５のデザインをアレンジ（変更）することができる。
また、図３に示すように、テレビスタンド１０に向かう風の方向に応じて各段の端材１４の横方向の位置を調整し、効率良く乱流が発生するように多段式寄木１５の形状を変形することもできる。
例えば、テレビスタンド１０に対して右方向から風が吹く際には、各段又は所定段の端材１４を右方向に位置ずれさせ（埋込ナット２３Ｃ，２３Ｅに各止めねじ２５を挿通し）、左方向から風が吹く際には、その反対の操作（埋込ナット２３Ａ，２３Ｃに各止めねじ２５を挿通）を行う。ここでは、多段式寄木１５のデザインを高めるとともに、左，右いずれの方向からの風に対しても効率よく乱流を発生できるように、１２本の端材１４を、３本１組又は４本１組として左右方向へ適宜位置ずれさせている。
【００３２】
次に、図４および図５を参照して、本考案の実施例２に係る天然木付テレビスタンド１０Ａについて説明する。
図４に示すように、実施例２に係るテレビスタンド１０Ａの特徴は、化粧寄木として、縦方向へ細長い板からなる６本の端材１４Ａを、左右平行の離間状態で並列配置した縦束式寄木１５Ａを採用した点である。
各端材１４Ａは、上方へ向かって先細りしているとともに、支柱１２Ａの幅方向の両端部に配されたものより、支柱１２Ａの幅方向の中間部に配されたものの方が前方へ徐々に突出している。
また、図５に示すように、各端材１４Ａの後側の上，下端部および中間部には、それぞれ埋込ナット２３Ｆが埋め込まれている。また、化粧寄木取付板１６Ａの上，下端部および中間部には、それぞれ６つのねじ孔１８Ａが所定ピッチで形成されている。各端材１４Ａは、対応する上中下のねじ孔１８Ａを介して、化粧寄木取付板１６Ａの前面の所定位置に、３本の止めねじ２５を介してそれぞれ密着状態で取り付けられている。
【００３３】
図４に示すように、実施例２のテレビスタンド１０Ａは、このように化粧寄木として、６本の縦方向へ細長い端材１４Ａを、左右平行に離間した並列状態で支柱１２Ａの前面に密着させて設けた縦束式寄木１５Ａを採用したため、テレビスタンド１０Ａに向かった風の一部を、縦束式寄木１５Ａをガイドにして、直接、テレビに誘導し、加熱したテレビを効果的に冷やすことができる。
【００３４】
すなわち、縦束式寄木１５Ａを構成する縦方向へ細長い各端材１４Ａの間には、支柱１２Ａの前面を奥面とした複数の縦溝３０が存在する。そのため、テレビに向かった風が縦束式寄木に衝突すると、衝突した風は各端材１４Ａ間に存在する５つの縦溝３０に沿って上昇し、一般的に発熱しやすい電子部品が密集する基盤が配されたテレビの中央部を背後から効率よく空冷することができる。
しかも、この縦束式寄木１５Ａでは、支柱１２Ａの幅方向の両端部（両側部）に配された端材１４Ａより、支柱１２Ａの幅方向の中間部に配された端材１４Ａの方が徐々に前方へ突出するように構成されている。そのため、側方（左方向又は右方向）からテレビに向かった風も、各端材１４Ａ間の各縦溝３０に効率よく取り込んで上昇させ、テレビの冷却に利用することができる。
【産業上の利用可能性】
【００３５】
この考案は、家庭用の天然木付テレビスタンドの技術として有用である。
【符号の説明】
【００３６】
１０，１０Ａ  天然木付テレビスタンド
１１  底板
１２，１２Ａ  支柱
１３  テレビ取付部
１４，１４Ａ  端材
１５  多段式寄木（化粧寄木、風誘導構造体）
１５Ａ  縦束式寄木（化粧寄木、風誘導構造体）
２３Ａ〜２３Ｆ  埋込ナット（端材取付部）
２５  止ねじ（端材取付部）
２６  テーブル
【図１】
0003226560.tif 000003
【図２】
0003226560.tif 000004
【図３】
0003226560.tif 000005
【図４】
0003226560.tif 000006
【図５】
0003226560.tif 000007